(57)【要約】  本発明は、異なる密度を有する流体混合物の少なくとも２つの要素の分離のための遠心分離機（１、１’）に関連する。遠心分離機は、垂直な回転軸（Ｒ）の周りに回転のために配置され、ロータの分離チャンバ（８、８’）の中へ流体混合物を供給するように適用される入口（１８、１８’）を伴って、ロータを内側へ分離チャンバ（８、８’）を取り囲むロータ壁（７ａ、７ｂ、７ａ’、７ｂ’）を有するロータ（２、２’）と、ロータから外へ流体混合物から分離される要素を放出するように適用される少なくとも１つの出口（２２、２２’、２９）とを有する。ロータシャフト（３、３’）は、ロータ（２、２’）の外側へ供給され、回転軸（Ｒ）の周りのロータの回転のためのモータ（Ｍ）に駆動可能に接続される。ハブ（１２、１２’）は、ロータ（２、２’）の外側へ設置され、ハブ（１２）及びロータシャフト（３、３’）は、トルク伝播及び軸上の力伝播の両方でハブ（１２、１２’）に係わるロータシャフト（３、３’）をロックするように構成されるロック可能で、開放可能な締め金具（１３）によってロータ（２、２’）の外側から接続されるように配置されている。
2013523435.tif 000002
【特許請求の範囲】
【請求項１】
回転軸（Ｒ）の周りに回転可能な、ロータ（２、２’）の内側へ分離チャンバ（８、８’）を有する内部空間を取り囲むロータ壁（７ａ、７ｂ、７ａ’、７ｂ’）を有するロータ（２、２’）と、
前記ロータの前記分離チャンバ（８、８’）へ流体混合物を供給するための入口（１８、１８’、１９、１９’、２０）と、
前記ロータ（２、２’）から前記流体混合物から分離された構成要素を放出するための少なくとも１つの出口（２２、２２’、２９）と、
前記ロータ壁でハブ（１２、１２’）に接続されて配置されているロータシャフト（３、３’）と、を具備し、
前記ロータ（２、２’）は、前記回転軸（Ｒ）の周りの前記ロータの回転のためのモータ（Ｍ）に駆動可能に接続されている前記ロータシャフトを介して支持されている、遠心分離機であって、
前記ハブ（１２、１２’）は、前記ロータシャフト（３、３’）に前記ハブ（１２、１２’）を開放可能なように接続するために前記ロータの外側から制御可能であるように内部空間から離れて向かい合う前記回転の壁の側面に配置される締め金具（１３）を有し、前記ロータの内側の空間の外側に設置され、前記ロータシャフトに前記ロータから外側へ軸上で案内される接続を有する、ことを特徴とする、密度の異なる少なくとも２つの流体混合物の要素の分離のための遠心分離機（１、１’）。
【請求項２】
前記ハブ（１２）は、チューブ状であり、前記ロータ壁（７ａ）から外側に軸上で延長し、且つ、前記ロータシャフト（３）の部分を放射状に取り囲むように構成され、前記締め金具（１３）は、前記ロータシャフト（３）の前記部分に前記ハブ（１２）を接続するように配置されている、請求項１の遠心分離機。
【請求項３】
前記ハブ（１２’）は、前記ロータ壁（７ａ’）の凹部の形状を取り、前記ロータシャフト（３’）の部分を放射状に取り囲むように構成され、前記締め金具（１３）は、前記ロータシャフト（３’）の前記部分に前記ハブ（１２’）を接続するように設置されている、請求項１の遠心分離機。
【請求項４】
前記ロータシャフト（３、３’）及び前記ハブ（１２、１２’）は円筒形状である、前述の請求項のいずれか１の遠心分離機。
【請求項５】
前記ロータシャフト（３、３’）は、前記遠心分離機の操作の間に流れる流体を有するように適用される少なくとも１つの軸方向上のダクト（１８、１８’）が走り、前記ハブ（１２、１２’）は、前記ロータを設置された少なくとも１つの流体通路（２０）を通って前記分離チャンバ（８、８’）を連絡して配置されるダクト接続（１９、１９’）を前記ダクト（１８、１８’）に有する、前述の請求項のいずれか１の遠心分離機。
【請求項６】
前記ダクト接続（１９、１９’）を有する前記ダクト（１８、１８’）及び前記分離チャンバ（８、８’）に前記流体通路（２０）は、搬送される流体が前記回転軸（Ｒ）に相対的に、１００°以上、好適には９０°より大きく方向を変更しないように構成する輸送通路を前記流体のために形成する、請求項５の遠心分離機。
【請求項７】
前記ハブ（１２、１２’）は、放射状の拡張を有する隣接部表面の形状で、前記ハブ（１２、１２’）の内側へ前記ロータシャフト（３、３’）の前記自由端に対して隣接するように配置される前記ロータシャフトの軸方向の係止部（２７、２７’）を有する、前述の請求項いずれか１の遠心分離機。
【請求項８】
前記締め金具は、開放可能な摩擦締め金具で前記ロータシャフト（３、３’）に前記ハブ（１２、１２’）を接続するように配置されるクランプ装置（１３）である、前述の請求項のいずれか１の遠心分離機。
【請求項９】
前記ハブ（１２、１２’）は、前記ロータシャフト（３、３’）の部分を放射状に取り囲まれるように構成され、環状の空間は、前記ハブ（１２、１２’）及び前記ロータシャフト（３、３’）の間の放射状に配置され、前記クランプ装置は、前記開放可能な摩擦締め金具で前記ハブ（１２、１２’）及び前記ロータシャフト（３、３’）に摩擦嵌合で適合される空間である、請求項８の遠心分離機。
【請求項１０】
前記クランプ装置（１３）は、放射状に外側へ拡張でき、前記ハブ（１２、１２’）で摩擦嵌合ために構成される外側のスリーブ（１４）と、放射状に内側に拡張でき、前記ロータシャフト（３、３’）で摩擦嵌合するために構成される内側のスリーブ（１５）と、前記外側のスリーブ（１４）及び前記内部のスリーブ（１５）の間で軸方向上に延長する環状のギャップ（１６）と、前記外側のスリーブ及び前記内側のスリーブが前記ハブ（１２、１２’）と前記ロータシャフト（３、３’）とを固定する状態に前記外側のスリーブ（１４）及び前記内側のスリーブ（１５）を拡張するために前記ギャップで圧力媒体を押圧するための手段（１７）と、を有する、請求項９の遠心分離機。
【請求項１１】
前記ハブは、放射状に拡張する隣接部表面の形状で、終端が前記ハブ（１２、１２’）の内側にある前記クランプ装置の終端に対して隣接するように配置される前記クランプ装置の軸方向上の係止部（２８、２８’）を有する、請求項９若しくは１０の遠心分離機。
【請求項１２】
前記分離チャンバ（８、８’）は、先端を切り取られた円錐形の分離ディスク（１１）の積み重ねを含み、前記ハブ（１２、１２’）は前記ロータ（２、２’）の底面（７ａ、７ａ’）に設置され、前記ロータシャフト（３、３’）は、垂直に方向をあわせ、前記ロータ（２、２’）を真っ先に支持する、前述の請求項のいずれか１の遠心分離機。
【請求項１３】
前記ロータは、前記分離チャンバ（８）から前記スラッジの形状で分離された要素の放出のための前記ロータ壁（７ａ）で周囲に外側の装置（２２）を有し、弾性スライド要素（２１）は、前記外側の装置（２２）を開閉するために前記ロータの内側に設置され、スライド要素（２１）は、前記ロータ（２）に接続され、軸方向上に相対的に固定される放射状の内部端部と、前記スライド要素（２１）の弾性変形によって外側アパチャ（２２）の開閉状態の間の前記ロータに相対的に軸方向上で移動できる放射状の外側の端部（２４）とを有する、前述の請求項のいずれか１の遠心分離機。
【請求項１４】
前記ハブは、前記ロータ（７ａ、７ｂ）から軸方向上で外側へ援用するシャフトジャーナルの形状を成す、前記締め金具は、前記シャフトジャーナル及び前記回転シャフトと一緒に接続する前記開放可能なシャフト連結の形状を成す、請求項１の遠心分離機。
【請求項１５】
ロータは、前記ロータ（２、２’）の内側に分離チャンバ（８、８’）を有する内部空間を取り囲み、前記ロータの回転のモータ（Ｍ）に駆動可能に接続されるロータシャフトに接続されるように配置されるハブ（１２、１２’）を有するロータ壁（７ａ、７ｂ、７ａ’ 、７ｂ’）を有し、
前記ハブ（１２、１２’）は、前記ロータの内部空間の外側に設置され、前記ロータシャフトに前記ロータから軸方向上に外側へ案内する接続を有し、前記ロータシャフト（３、３’）に前記ハブ（１２、１２’）を開放可能に接続するために前記ロータの前記外側から操作可能なように前記内部空間から離れて向かう前記ロータ壁の前記側面に配置される締め金具に接続されるように配置されている、ことを特徴とする、請求項１乃至１４のいずれか１の遠心分離機。
【発明の詳細な説明】
【技術分野】
【０００１】
本発明は、異なる密度からなる流体混合物の少なくとも２つの要素の分離のための遠心分離機に関連する。
【背景技術】
【０００２】
遠心分離機は、回転軸の周りに回転可能であるロータを有する。ロータは、ロータの分離チャンバの中へ流体混合物を供給するために適用される入口と、流体混合物から分離される要素をロータから外部へ放出するために適用される少なくとも１つの出口と一緒に、ロータの内側に分離チャンバを有する内部空間を取り囲むロータ壁を有する。ロータシャフトは、ロータ壁のハブに接続されて配置され、ロータは、ロータの軸の周りにロータの回転のためのモータに駆動可能に接続された回転シャフトを介して支持される。本発明は、前述の遠心分離機の現存のロータにも関連する。
【０００３】
ＵＳ  ４１９１３２５  Ａは、知られている前述の遠心分離機を開示している。開示されたハブは、ロータシャフトを構成し、且つ、円錐状であり、ロータの内部空間で軸方向上に内側に延出する接続と、対応する円錐形状を有し、ロータで内側へ同様に延出するロータのハブに挿入されるロータシャフトの一部分と、を有している。円錐形状は、回転の間にハブ及びロータシャフトのオートロックを生じ、その結果、操作の間にロータシャフト及びロータの間のトルクの移動を達成する。円錐形状は、回転シャフトにロータのオートロックも生じる。ロータの内側で、ナットは、ロータのシャフトに軸方向上にロータをロックするためにロータシャフトの端部に設置されている。従って、ナットは操作の間のロータに作用し得る（軸上の）力に対する保護を与える。ロータシャフトからロータの取り外しは、ナットが取り外されるようにその内部を広げられるためにロータの構成要素部分の初めの取り外しも含む。このような取り外しは、相対的に多大な時間を必要とする。
【０００４】
ＵＳ  ３５１９２００  Ａは、ロータシャフト及びハブの間に同等な接続を有する他の知られている遠心分離機を開示している。その結果、このハブは、同様にロータの内部空間で軸方向上に内側に延長する円錐状の接続を有し、ハブに挿入されるロータシャフトの一部分は、対応する円錐状の外形を有し、ロータで内側に同様に延長する。ダクトは、液体混合物が分離チャンバに供給される、所謂分配器へ案内する。操作の間に、ダクト及び分配器を有する入口の構造は、液体混合物を（各々約１５５°の）流れの方向の２つの相対的な大きな変更がある移動通路に従わせる。第１の方向の変更は、ダクト及び分配器の間の移動であり、第２の方向の変更は、分配器から上側への分離チャンバへの移動である。このような方向の大きな変更は、好ましくない流れ抵抗及び圧力損失にさらされる分離チャンバを供給する液体混合物を生じる。
【発明の概要】
【０００５】
本発明の目的は、ロータの簡易な操作を許容し、同時に好適な特徴を有する遠心分離機を提供することである。
【０００６】
この目的は、ハブがロータの内部空間の外側へ適合され、ロータにロータから軸方向上に外側へ案内される接続を有し、締め金具は、ロータシャフトにハブを開放可能に接続するためのロータの外側から操作可能なように内部空間から離れて向かうロータ壁の側面に配置される、ことを特徴とする導入で示される遠心分離機によって達成される。
【０００７】
本発明は、ロータから取り外せるために取り外されるロータを結果的に必要としないので、ロータを外側から開放されるようにできる。従って、全てのロータは、ロータの外側からの締め金具を開放の後に取り外され得る。従って、本発明は、完全なロータを操作することを可能にする。これは、ロータの簡易な変更は、ロータの外側から開放可能である締め金具によってロータシャフトに適合され、固定する完全な新しく組み合わせられたロータによってもたらされ得ることを意味する。
【０００８】
本発明は、他の効果も提供する。本発明によれば、ハブは、ロータの内部空間の外側に適用され、ロータシャフトにロータから軸方向上に外側に案内される接続を有する。これは、ハブがロータの内部空間で内側へ軸上の拡張がないことを意味する。ロータシャフト及びハブは、内部空間を通らない、若しくは、ロータの内部の幾つかの空間を使用するので、内部空間で生じるボイドは、他の目的に適用され得る。このような内部空間のボイドは、例えば、液体通路を設置され、（流れに関して）さらなる好適な方法の遠心分離機を形成し得る。このような液体通路のさらに詳細な説明は、以下に示す。このボイドは、ロータの内側で中央に適用され、このために幾つかの主遠心力に影響されない。従って、前述の測定機器は、他の方法でこれらを損傷するだろう過度の遠心力から保護される。
【０００９】
本発明の実施の形態によれば、ハブはチューブ状であり、ロータ壁から軸方向上に外側へ延出し、ロータシャフトの一部分を放射状に取り囲むように構成され、締め金具は、ロータシャフトの前述の一部分にハブを接続するように配置されている。チューブ状のハブは、取りつけ及びロータシャフトのロータの配置を手助けする。チューブ状のハブは、ロータシャフトの相対的に細長い軸上の接続ももたらし、適した接続を確保することを可能にする。
【００１０】
前述した実施形態に対して本発明の他の実施形態によれば、ハブは、ロータ壁の凹部の形状を取り、ロータシャフトの一部分を放射状に取り囲むように構成され、締め金具は、ハブをロータシャフトの前述の一部分に配置されている。このような凹部は、好適には、ハブを相対的に薄いロータ壁に設置されている。このため、ロータの内部空間で軸方向上に内側に延出するためのハブを必要としないので、ロータ壁の凹部は、ロータシャフトの接続として供給されるために十分に深く形成され得る。締め金具は、ハブ及びロータシャフトの間で放射状に配置される環状の空間に適合される摩擦締め金具の形状を成す。
【００１１】
本発明のさらなる実施形態によれば、ロータシャフト及びハブの両方は、円筒形状である。円筒状のロータシャフト及び円筒状の接続は、前述された円錐状の外形と比べて相対的に容易で、安価である。円筒状のロータシャフト及び円筒状の接続は、開放可能な締め金具、例えば、クランプスリーブ、若しくは、ねじ接続の形状で摩擦締め金具に適合もされる。
【００１２】
本発明の他の実施形態によれば、ロータシャフトは、遠心分離機の操作の間にこれを通り流れる流体を有するように適用される少なくとも１つの軸上のダクトをこれに走るように有し、ハブは、前述のダクトでロータに設置された少なくとも１つの流体通路を通って分離チャンバに連絡されるように配置されるダクト接続を有する。前述のダクトは、例えば、分離され、及び／若しくは、分離された要素を放出される流体混合物で供給されるように適用され得る。このような入口及び出口は、所謂分離チャンバのための密封した入口及び出口として、通常構成されている。これは、流体の移動が、空気混合／空気接触なしで、相対的に少ないエネルギを必要とする方法で起こり得ることを意味する。前述のダクトは、例えば、分離チャンバの断続的な放出（スラッジの放出）のための従来のシステムを操作するために適用される水硬性の液体を搬送されるように適用もされ得る。
【００１３】
本発明の他の実施形態によれば、分離チャンバへのダクト接続を伴う前述のダクト及び分離チャンバへの前述の流体通路は、前述の流体で搬送される流体が回転の軸に係わって１００°より大きい方向を変更しないように構成される移動通路を形成する。ロータシャフト及びハブは、ロータの内部空間で軸方向上に内側に拡張しない、若しくは、この幾つかの空間を使用するので、本発明は、このような移動通路の構造を許容する。これは、液体流体混合物の方向は、ＵＳ  ３５１９２００  Ａに係る先行技術の遠心分離機と同じ程度の変更を必要としないことを意味する。代わりに、ハブは、分離チャンバへの半径方向に外側に真っ直ぐな流れを案内するように適用される液体通路に９０°でダクトからの流れの方向を、好適には、変更するダクト接続を設置され得る。供給される流体混合物は、方向の大きな変更を受ける必要がないので、これは、好適な流れ関係（低い流れ抵抗及び圧力損失）を生じる。本発明のさらなる実施形態によれば、ハブは、径方向の拡張を有する隣接部表面の形状で、ハブの内側へロータのシャフトの自由端に対して隣接されるように配置されるロータシャフトのための軸上の係止部を有している。これは、ハブがロータシャフトに係わって正確な軸上の位置を取るという確信を与える。代わりに、ロータシャフトは、フランジの形状でこのような軸上の係止部で設置され、若しくは、同様に放射状に外側へ案内され、ハブ若しくはロータ壁の一部分に対して隣接するように配置され得る。
【００１４】
本発明の他の実施形態によれば、前述の締め金具は、開放可能な摩擦締め金具でロータシャフトにハブを接続するように配置されたクランプ装置である。実施形態によれば、このクランプ装置は、ハブ及びロータシャフトの間に放射状に配置される環状の空間に適合され、ハブの接続及びロータシャフトの間で摩擦嵌合を生じる。このために、クランプ装置は、外側に放射状に拡張でき、ハブの摩擦嵌合を構成される外側スリーブと、内側に放射状に拡張でき、ロータシャフトの摩擦嵌合を構成される内側スリーブと、ハブ及びロータシャフトのロック状態へ外側スリーブ及び内側スリーブを拡張するためのギャップの圧力媒体を押圧するための手段とを有している。このようなクランプ装置は、ロータシャフト及びハブの迅速で、確実な接続をもたらす。
【００１５】
本発明の他の実施形態によれば、ハブは、ハブの内側にあるクランプ装置の端部に対して隣接するように構成される径方向の範囲の隣接部表面の形状でクランプ装置の軸方向の係止部を有している。これは、ハブに係わるクランプ装置の正確な軸上の位置の確かさを提供する。
【００１６】
本発明のさらなる実施形態によれば、分離チャンバは、先端を切られた円錐状の分離ディスクの積み重ねを含み、ハブは、ロータの底面に設置され、ロータシャフトは、垂直に方向を合わせられ、最上のロータを支持する。このような分離ディスクを有する分離機は、液状の流体混合物とここで浮遊した粒子との分離に極めて効果がある。完全なロータは、ロータシャフトを持ち上げて、締め金具で接続される。
【００１７】
遠心分離機の他の実施形態によれば、ロータは、分離チャンバからスラッジの形状の分離要素の放出のロータ壁で周囲に出口アパチャを有し、弾性スライド要素は、前述の出口アパチャを開閉するためにロータの内側に設置され、スライド要素は、ロータに接続され、且つ、係わって軸方向上に固定される径方向の内側端部と、スライド要素の弾性変形によって出口アパチャの開閉状態の間のロータに係わって軸方向上に移動可能である径方向の外側端部とを有する。弾性要素は、ロータの内側に軸上の支持を必要としないので、このような弾性スライド要素は、明細書ＷＯ  ９６／４１６８３  Ａ１にも開示され、本発明に非常に適している。（弾性的に構成されない）従来のスライド要素の場合に、ロータの内部空間で内側へ軸方向上に延出するハブは、スライド要素を支持するために適用され、出口アパチャの閉鎖／開口の間のハブに上側／下側で軸方向上に移動される。しかし、本発明で、ハブは、ロータの内部空間の内側で軸方向上に延出せず、これためにスライド要素の軸上の支持がない。従って、弾性スライド要素の適用、その後これは軸上の支持を必要としない。
【００１８】
さらなる実施形態によれば、ハブは、例えば、ロータ壁から子と側へ軸方向上に延長するシャフトジャーナルの形状を成す。シャフトジャーナル及びロータシャフトは、シャフト連結の形状を成す場合に締め金具を介して接続され得る。これは、シャフトジャーナルが、ジャーナルに取り付けられる第１のベアリングメンバ（例えば、所謂ロータのトップベアリング）を設置されるように配置される遠心分離機を可能にすると同時に、ロータシャフトは、フレームにおいて他のベアリングメンバ（例えば、所謂ロータのボトムベアリング）によってジャーナルされる（journalled）。これは、取り付けられた第１のベアリングメンバを有するシャフトジャーナルを含む全てのロータは、前述のロータシャフトを有するフレーム及び第２のベアリングメンバに適合され得る。シャフトジャーナル及びロータシャフトは、その後、位置合わせされ、第１のベアリングメンバ及び第２のべリングメンバの間に設置されるシャフト連結によって接続される。
【００１９】
本発明は、前述の遠心分離機のロータにも関連する。その結果、ロータは、ロータの内側へ分離チャンバを有する内部空間を取り囲み、ロータの回転のモータに駆動可能に接続されるロータシャフトに接続されるように配置されるハブを有するロータ壁を有する。ロータは、ロータの内部空間の外側に適合され、ロータシャフトにロータから外側へ軸方向上に向かわせられる接続を有することを特徴とし、ハブは、ロータシャフトにハブを開放可能に接続するためにロータの外側から操作可能なように内部空間から離れて向かうロータ壁の側面に配置される締め金具によって接続されるように配置されている。
【００２０】
本発明は、添付図面に関連して例として前述された実施形態の説明によってさらに詳細に以下で説明されている。
【図面の簡単な説明】
【００２１】
【図１】図１は、本発明の第１の実施形態に係る遠心分離機を示す。
【図２】図２は、本発明の第２の実施形態に係る遠心分離機を示す。
【発明を実施するための形態】
【００２２】
図１は、本発明の第１の実施形態の遠心分離機１を示している。遠心分離機１は、鉛直なロータシャフト３に最初に位置づけられるロータ２を有している。ロータシャフト３は、フレーム中で上部ベアリング（所謂トップベアリング４）及び下部ベアリング（所謂ボトムベアリング）によってジャーナルされる。従って、ロータシャフト３は、フレーム６で回転Ｒの鉛直軸に動き回る回転のためのロータ２を支持するために配置されている。モータＭは、回転Ｒの軸に動き回るロータ２を駆動するために適用されている。ロータ２は、主遠心分離が生じる分離チャンバ８の内部空間を取り囲むロータ壁７ａ、７ｂを有している。内部空間は、ロータの範囲内の他の空間、即ち、分離空間８で分離されることである攪拌のための入口通路を有し、少なくとも１つの分離された要素のための排出チャンバを有している。ロータ壁は、ロッキングリング９で結合されている底部７ａ及び上部７ｂに分けられている。先端を切り取った円錐の分離したディスク１１の積み重ね（stack）を有する圧縮ユニット１０は、内部空間に、ロータの内部の中心に、位置づけられる。圧縮ユニット１０のさらに詳細な説明は、ＷＯ２００８／１１１８８９Ａ１の明細書にある。分離ディスク１１の積み重ねは、分離チャンバ８に位置づけられ、主分離が遠心分離機の操作の間に生じる相互に隣接する分離ディスクの薄い中間空間の間に形成されている。図１は、これらの間の相対的に大きな中間空間の少数の分離ディスク１１を概略的に示している。しかし、実際には、多数の分離ディスクが互いに積み重ねられて、分離ディスクの表面は、相互に隣接する分離ディスクの間の薄い中間空間を維持するためにスペーサ要素を設けられている。
【００２３】
ロータ２は、ロータ壁の底部７ａの外側、及び、ロータの内部空間の外側に位置づけられるハブ１２を有している。ハブ１２は、チューブ状であり、底部７ａから上側へ／下側へ軸方向に延長し、チューブ状のハブは、ロータシャフト３の一部分を放射状に取り囲むように構成されている。チューブ状ハブ１２及びロータシャフト３の両方は、円形の横断面の円筒である。開放できるクランプ装置１３は、摩擦締め具でロータシャフト３の部分にハブ１２を接続されている。このようなクランプ装置１３は、先行技術であり、ＵＳ４０９３０５２  Ａ、若しくは、ＳＥ５１２０５２  Ｃ２は、例えば、さらに詳細な説明を参照され得る。クランプ装置１３は、ハブ１２及びロータシャフト３の間で放射状に配配置される環状の空間に適合される。クランプ装置１３は、外側に放射状に拡張でき、ハブ１２に摩擦嵌合される外側のスリーブ１４と、内側へ放射状に拡張でき、ロータシャフト３に摩擦嵌合される内側のスリーブ１５とを有している。環状ギャップ１６は、外側のスリーブ１４及び内側のスリーブ１５の間で軸方向に延長し、加圧スクリュ１７は、これらがハブ１２及びロータシャフト３をロックする状態に外側のスリーブ１４及び内側のスリーブ１５を拡張するためにギャップ１６の圧力媒体の圧力を供給される。加圧スクリュ１７は、圧力媒体に圧力を軽減するために緩められ得るので、拡張可能なスリーブ１４、１５は、これらの原形に戻り、従って、締め具は、緩められるのでロータシャフト３及びロータ２は互いから開放される。
【００２４】
図１の遠心分離機は、ロータ２のシャフト３を通って軸方向に延長するダクト１８を有する注入口を有し、ロータ２は、ダクト１８の接続１９を有している。接続１９は、ハブ１２の内部に配置され、接続１９から放射状に外側へ真っ直ぐに延長し、分離チャンバ８に案内する分配ダクト２０の形状の複数の液体通路を通る分離チャンバ８に連絡されて配置されている。分配ダクト２０は、ロータ２の内部に円周方向で同一の間隔で配置されている。分配ダクト２０は、回転Ｒの軸で９０°の角度を形成している。その結果として、ハブ１２の内部での接続１９は、ダクト１８からチャンバ８への半径方向で外側へ真っ直ぐな流れを案内するために適用される分配ダクト２０へ９０°で流れの方向へ変更するために配置されている。示されたロータの底部７ａは、放射状の内部の平面の壁部と、放射状の外側の傾斜し、取り囲まれた壁部とを有している。分配ダクト２０は、分離ディスク１１を有する圧縮ユニット１０の底面に従って配置されている。従って、分配ダクト２０は、圧縮ユニット１０の底部で分離チャンバ８に案内され、液体攪拌の方向が、再び、分離ディスク１１の積み重ねを収納する分離チャンバ８で上側へ（分配ダクトの方向に係わって）約９０°で変更される。
【００２５】
弾性スライド要素２１は、ロータ壁の底部７ａで末端に配置される複数の出口アパチャを開口し、閉口するためにロータ２の内部に設けられている。弾性スライド要素２１は、ＷＯ９６／４１６８３Ａ１の明細書にも開示されている。スライド要素２１は、ロータ２に、係わって軸方向に固定され、接続される放射状の内部端部２３を有し、スライド要素２１の弾性変形による出口アパチャ２２の開閉状態の間のロータ２に係る軸方向に移動できる放射状の外側端部２４を有している。弾性スライド要素は、スライド要素２１及びロータ壁の底部７ａの間に配置される閉口チャンバを充填／空にするために中／外に水硬性の液体を供給することによって変形（制御）されている。示されたロータシャフト３は、遠心力及び結果として生じる水圧によって、出口アパチャ２２の閉口状態に弾性スライド要素２１の底部を押圧する液体の閉口チャンバに供給するためのダクト２５を取り囲む。ロータシャフト３は、閉口チャンバの液体が空にされる放出バルブを開口するための液体の供給のためのダクト２６も取り囲むスライド要素が弾性的に変形されるためにその放射状の外側の端部２４が軸方向で下側に移動し、出口アパチャ２２を開口する結果、液体の閉口チャンバを空にすることは、スライド要素２の底面から水圧を減少する。このような出口アパチャ２２を開口する方法は、ロータ２が分離チャンバ８の放射状の外側の部分で徐々に蓄積するスラッジがないようにする必要がある状況で実施される。弾性スライド要素２１がロータ２の内部の軸方向の支持を必要としないために、このようにスライド要素は、本発明に特に適用できる。（弾性的に変形されない）従来のスライド要素の場合に、ロータで内側に軸上で延長するハブが、出口アパチャ２２の開閉の間にハブの軸方向で上側に／下側に移動されるために配置されるスライド要素の内部端を支持するために適用される。
【００２６】
ハブ１２は、内側に放射状に拡張し、ハブの内側のロータシャフトの自由端に対して隣接するように配置される環状の隣接部表面の形状のロータシャフト３の軸上の係止部２７を有している。これは、ハブ１２に関連するロータシャフト３の正確な軸方向の位置を保証するための簡単な方法である。ハブ１２は、放射状に拡張し、端部がハブ１２の内側にあるクランプ装置１３の端部に対して隣接するように構成される同等の隣接部表面の形状のクランプ装置１３ための軸上の係止部２８も有している。従って、ハブ１２に係るクランプ装置１３の的確な軸方向の位置が、確保される。分離された液体要素のための放出チャンバ２９は、圧縮性ユニット１０の上部に設置されている。放出チャンバ２９は、放出通路（図示せず）を通って分離チャンバ８に連絡する。遠心分離機１は、放出チャンバ２９及びロータ２から外へ液体要素を放出するためのメンバ（図示せず）も有している。
【００２７】
図２は、本発明の第２の実施形態に係る遠心分離機１’を示している。同一若しくは同等の機能を有する構成要素部分は両方の実施形態で同一の参照符号によって示されていることに注目すべきである。遠心分離機１’は、とりわけハブ１２’の形状で図１に係る遠心分離機とは異なる。このハブ１２’は、ロータ壁の底部７ａ’の凹部の形状をとる。凹部は、相対的に薄いロータ壁７ａ’に形成されている。凹部１２’ は、ロータ２’で内側に向けて軸方向へ延出するハブを必要としないので、十分に深く形成され得る。凹部１２’は、ロータシャフト３’の部分を放射状に取り囲むように構成され、クランプ装置１３は、ロータシャフト３’の前述の部分にハブを接続するように設置されている。これは、ハブ１２’及びロータシャフト３’の間で放射状に配置される環状の空間に適合されるクランプ装置１３を含む。クランプ装置１３は、図１のように本実施形態で同一の構成を有する。
【００２８】
ロータ２’は、ロータ壁７ａ’の周囲に配置されたノズル２２’の形状の放出アパチャを有するという点でも異なる。このようなノズル２２’は、分離チャンバ８’から分離された個体粒子（スラッジ）の連続的な排出に適用され得る。このようなロータ２’は、相対的に個体粒子（スラッジ）の高濃縮の、すなわち（体積当たり）約６％から２５−３０％までの液体混合物の分離に適用される。このように、このロータ２’は、結果として（図１に示されるように）閉口チャンバ及びスライド要素を有する放出システムを必要としない、絶えず開口されるように配置されるノズル２２’を有している。閉口チャンバに水硬性の液体を供給するためのダクト、若しくは、その液体の閉口チャンバを空にするために放出バルブに液体を供給するためのダクトを必要としていない。
【００２９】
しかし、図２に示すように、遠心分離機１’は、ハブ１２’の内側でダクト１８’の同等の接続１９’のロータシャフト３’を通って軸方向に延長するダクト１８’の形状で、液体混合物のための同等の入口を有している。本実施形態の一例で、接続１９’は、接続１９’から放射状に外側に延長し、分離チャンバ８’中へ案内する分配ダクトの形状（図示せず）で複数の液体通路を通る分離チャンバ８’に連絡するように同様に配置されている。これらの分配ダクトは、分離チャンバ８’の底部の内側で円周方向に等間隔で配置され、接続１９’から外側へ放射上に原則として直線上に延長する。しかし、示されるロータの底部７ａ’は、放射状に外側方向に若干下方向へ傾斜し、分配ダクトはこの傾斜、若しくは、回転Ｒの軸に相対的な角度を原則的に追従する。図２に示されるように、方向の変更は、約１００°である。これらの分配ダクトは、分離チャンバ８’の底部中に案内し、液体混合物は、分離チャンバ８’で上側へ（分配ダクトの方向に相対的に）約１００°付近に再度方向を変更する。この分離チャンバ８’は、同様に分離ディスクの積み重ねで設置されている（図２に示されない）。
【００３０】
図２に示されるハブ１２’は、ハブ１２’の内側のロータシャフトの自由端に対して隣接して配置され、放射状の拡張する隣接部表面の形状にロータシャフト３’の軸方向の係止部２７’を同様に有する。ハブ１２’は、内側に放射状に拡張する隣接部表面の形状で、自由端がハブ１２’の内側にあるクランプ装置１３の自由端に対して隣接するように構成されるクランプ装置１３の軸方向の係止部２８’を同様に有している。本実施形態の一例で、ロータシャフト３’及びクランプ装置１３のための夫々の軸方向の係止部２７’及び２８’は、単一の放射状の表面を構成する。
【００３１】
本発明は、開示された実施形態に制限されずに、以下に示される請求項に従って変更及び改良され得る。さらなる実施形態に従って、ハブは、例えば、ロータ壁から外側へ放射状に延長するシャフトジャーナルの形状を取る。
【００３２】
シャフトジャーナル及びロータシャフトは、このためにシャフト連結の形状を取る場合に締め金具を通って接続され得る。遠心分離機は、ジャーナルがシャフトジャーナルに取り付けられる第１のベアリングメンバ（例えば、ロータの所謂トップベアリング）を設置され、ロータシャフトは、フレームで第２のベアリングメンバ（例えば、ロータの所謂ボトムベアリング）によって支持されているように配置され得る。これは、全てのロータは、それに取り付けられた第１のベアリングメンバを有するシャフトジャーナルを含み、前記ロータシャフトを有するフレーム及び第２のベアリングメンバに適合され得ることを意味する。シャフトジャーナル及びロータシャフトは、シャフト連結により配列され、接続されている。従って、シャフトジャーナル及びロータシャフトは、第１のベアリングメンバ及び第２のベアリングメンバの間に位置づけられる。
【図１】
2013523435.tif 000003
【図２】
2013523435.tif 000004
【国際調査報告】
2013523435.tif 000005
2013523435.tif 000006
2013523435.tif 000007